(57)【特許請求の範囲】
【請求項１】
飾り物を載せるための基台部と、該基台部に接続される飾り屏風としての立設部と、を有し、
前記立設部は、展開時の幅が前記基台部の幅よりも広く、かつ、（２×ｎ−１）本（ｎは２以上）の折り縁が、相互に略並行に設けられるとともに、両端側の各面の底辺が前記基台部に接続されその他の面の底辺が前記基台部に非接続とされ、
前記基台部は、台板部と、該台板部に接続され、前記台板部の平面形状と略同一の外形を有し、使用時に前記台板部の上面側に折り返される折返し部と、からなり、その中心位置が、前記立設部の両端を結んだ仮想線よりも前方に設けられるとともに、前記立設部のｎ番目の折り縁とで同一平面が形成される位置に折り縁が設けられ、該折り縁が前記台板部側にのみ設けられたこと
を特徴とする飾り具。
【請求項２】
前記折返し部には、飾り物の底部形状と略同一形状の開口部が設けられたこと
を特徴とする請求項１記載の飾り具。
【請求項３】
前記折返し部は、前記台板部の前記立設部が接続される側とは反対側で接続され、かつ、前記台板部の前記折り縁を介して二分される左右両面の一方のみに接続されること
を特徴とする請求項１又は２記載の飾り具。
【請求項４】
前記折返し部には、前記台板部の裏面部と当接するフランジ部が設けられ、該フランジ部は、前記台板部の前記折り縁を介して二分される左右両面の一方の底面に固着され、他方の底面に対しては非固着とされること
を特徴とする請求項３記載の飾り具。
【請求項５】
前記折返し部は、前記台板部に係止する係止手段を備えたこと
を備える請求項１乃至４のいずれか１項に記載の飾り具。
【請求項６】
前記係止手段は、前記折返し部の本体から延設された折返し係止片であること
を特徴とする請求項５記載の飾り具。
【請求項７】
前記台板部には、前記折返し係止片が係止される切り込み部が形成されたこと
を特徴とする請求項６記載の飾り具。
【請求項８】
前記折返し係止片は、前記折返し部の本体先端側から２段に折り返し可能に延設され、２段目の折り返し面が前記切り込み部に係止する係止部であること
を特徴とする請求項７記載の飾り具。
【請求項９】
前記台板部は、左右両端側に切欠部が形成され、
前記折返し係止片は、前記折返し部の本体左右側にそれぞれ延設され、折り返し状態において前記台板部の前記切欠部に係止可能な形状とされたこと
を特徴とする請求項６記載の飾り具。
【請求項１０】
前記折返し部には、前記台板部の裏面部と接触するフランジ部が前記台板部の一部を構成するように設けられ、
前記フランジ部は、前記台板部の前記折り縁を介して二分される左右両面の一方の底面に固着され、他方の底面に対しては非固着とされ、かつ、前記切欠部の一部が形成されたこと
を特徴とする請求項９記載の飾り具。
【請求項１１】
前記立設部のｎ番目の折り縁及び前記基台部の折り縁は、それぞれ、前記立設部及び前記台板部の中央を区画する位置に設けられたこと
を特徴とする請求項１乃至１０のいずれか１項に記載の飾り具。
【請求項１２】
前記基台部は、飾り物としての鏡餅を載置可能な形状であること
を特徴とする請求項１乃至１１のいずれか１項に記載の飾り具。
【発明の詳細な説明】
【技術分野】
【０００１】
本発明は、飾り物を載せて観賞するための飾り具に関し、詳しくは、鏡餅の載置用として好適な飾り具に関する。
【背景技術】
【０００２】
従来より、鏡餅載置用の飾り具は、載置する鏡餅とセットで提供、販売されることが多く、鏡餅の大きさ等に合わせて、種々のものが提供されていた。かかる飾り具は、その販売価格や、流通、販売時の便宜等の観点からは、低コストで製造可能なことや、折り畳み可能であること、等が要請され、一方、美観面からは、主に正月に飾られるものであることからも、できるだけ見栄えの良い豪華な飾りであることが望まれている。
【０００３】
鏡餅載置用の飾り具の従来例としては、飾り物を載せる台板部と、該台板部と連設状態に設けられた飾り屏風となる立設部と、を有し、台板部及び立設部の各折り縁を介して折り畳んだ際に、台板部が立設部間に折り畳み挟持収納される構成のものが知られている（特許文献１参照。）。
【特許文献１】特許第３３８５０１１号公報
【発明の開示】
【発明が解決しようとする課題】
【０００４】
しかしながら、上述した従来の飾り具は、飾り屏風としての立設部が単なる２枚折りの構造であるため（上記公報図１，図２参照）、立設部における形状面での華やかさに乏しかった。また、これを補う構成として、例えば折り紙による扇子状の飾り部を立設部の内側に加えたもの（上記公報図４乃至図７参照）が開示されているが、この場合はコスト増になり、また、開閉の際にこの飾り部が破損しやすい、という難点がある。
【０００５】
また、上記従来の飾り具は、飾り屏風としての立設部の幅が四角形の台板部の２辺の幅と等しく、台板部の奥側と立設部の底辺とが全て連設された構成となっているため、立設部の両端を結んだ仮想線が台板部の略中央を通過することとなる（上記公報図１，図２，図４，図５参照）。しかしながら、このような構成の飾り具にあっては、台板部に飾り物を載せた場合に該飾り物が見える水平方向範囲（視野）が狭い、という弱点がある。
【０００６】
さらには、上記従来の飾り具では、折り縁を介して折り畳み可能な台板部上に飾り物を単に載せるだけの構造であることから、台板部の折り縁が見えてしまい美観上好ましくないこと、台板部（基台）全体としての厚みや立体感に乏しいこと、外力により飾り物が台板部からずれること、飾り物を台板部から外した場合や飾り物が軽量の場合には、台板部が反り返ってしまい飾り具全体の形が崩れてしまう、等の弱点がある。
【０００７】
本発明者は、鋭意研究の結果、「飾り屏風としての立設部は、飾りとしての形状的華やかさ（見栄えの良さ）の点からは少なくとも４枚折りとすることが望ましい」との着想を得るとともに、このような立設部を飾り具全体として折り畳み可能となるように基台部に連設し、かつ、飾り物が見える水平方向範囲を広く確保する構成を得るための、種々の技術的課題を解決することで、本発明を完成させた。
【０００８】
すなわち、本発明の主たる課題は、立設部における形状的見栄えの良さと基台部との連設を確保するとともに、飾り物が見える水平方向範囲を広く確保可能で、かつ折り畳み可能な飾り具を提供することにある。
【０００９】
また、本発明のさらなる課題は、基台部における外観上の見栄え良さを得るとともに飾り物のずれ防止を可能とした飾り具を提供することにある。
【００１０】
本発明に係る飾り具の第１の構成は、上記課題を解決するため、飾り物を載せるための基台部と、該基台部に接続される飾り屏風としての立設部と、を有し、立設部は、展開時の幅が基台部の幅よりも広く、かつ、（２×ｎ−１）本（ｎは２以上）の折り縁が、相互に略並行に設けられるとともに、両端側の各面の底辺が基台部に接続されその他の面の底辺が基台部に非接続とされ、基台部は、台板部と、該台板部に接続され、前記台板部の平面形状と略同一の外形を有し、使用時に前記台板部の上面側に折り返される折返し部と、からなり、その中心位置が、立設部の両端を結んだ仮想線よりも前方に設けられるとともに、立設部のｎ番目の折り縁とで同一平面が形成される位置に折り縁が設けられ、該折り縁が前記台板部側にのみ設けられたことを特徴とする。
【００１１】
上記第１の構成を備えた飾り具においては、展開時の幅が基台部の幅よりも広く、かつ、（２×ｎ−１）本（ｎは２以上）の相互に略並行な折り縁が設けられた立設部とされることで、使用時に、２×ｎ枚折りすなわち少なくとも４枚折りの飾り屏風が得られるので、立設部における形状的見栄えの良さが確保され、また、立設部における両端側の各面の底辺が基台部に連設されその他の面の底辺が基台部に非連設とされ、かつ、基台部における立設部の中央の折り縁とで同一平面が形成される位置に折り縁が設けられることで、これら各折り縁を介して２つ折りとすることが可能となり、さらには、基台部の中心位置が、立設部の両端を結んだ仮想線よりも前方に設けられることで、基台部に飾り物を載せた場合に飾り物の大部分が立設部よりも前方（手前側）に位置することになり、飾り物が見える水平方向範囲が広く確保され、さらにまた、台板部上に折返し部が重ねられた状態で使用されるので、基台部全体として厚みが確保され、かつ、折返し部によって台板部の折り縁を隠すことが可能となる。
【００１４】
本発明の飾り具の第３の構成は、上記第２の構成において、折返し部には、飾り物の底部形状と略同一形状の開口部が設けられたことを特徴とする。
【００１５】
上記第３の構成を備えた飾り具においては、開口部に飾り物を入れることで、外力による飾り物のずれや落下等の防止が図られる。
【００１６】
本発明の飾り具の第４の構成は、上記第２又は第３の構成において、折返し部は、台板部の立設部が接続される側とは反対側で接続され、かつ、台板部の折り縁を介して二分される左右両面の一方のみに接続されることを特徴とする。
【００１７】
上記第４の構成を備えた飾り具においては、折り畳み時において、台板部の折り曲げやすさが確保され、かつ、折返し部を折り曲げないことが可能となる。
【００１８】
本発明の飾り具の第５の構成は、上記第４の構成において、折返し部には、台板部の裏面部と当接するフランジ部が設けられ、該フランジ部は、台板部の折り縁を介して二分される左右両面の一方の底面に固着され、他方の底面に対しては非固着とされることを特徴とする。
【００１９】
上記第５の構成を備えた飾り具においては、使用時において、基台部前側における台板部と折返し部との隙間が、フランジ部により隠される、という外観上のメリットが得られる。
【００２０】
本発明の飾り具の第６の構成は、上記第２乃至第５のいずれか１の構成において、折返し部は、台板部に係止する係止手段を備えたことを特徴とする。
【００２１】
上記第６の構成を備えた飾り具においては、使用時において、台板部の反り返り防止の強化が図られる。
【００２２】
本発明の飾り具の第７の構成は、上記第６の構成において、係止手段は、折返し部の本体から延設された折返し係止片であることを特徴とする。
【００２３】
本発明の飾り具の第８の構成は、上記第７の構成において、台板部には、折返し係止片が係止される切り込み部が形成されたことを特徴とする。
【００２４】
本発明の飾り具の第９の構成は、上記第８の構成において、折返し係止片は、折返し部の本体先端側から２段に折り返し可能に延設され、２段目の折り返し面が切り込み部に係止する係止部であることを特徴とする。
【００２５】
本発明の飾り具の第１０の構成は、上記第７の構成において、台板部は、左右両端側に切欠部が形成され、折返し係止片は、折返し部の本体左右側にそれぞれ延設され、折り返し状態において台板部の切欠部に係止可能な形状とされたことを特徴とする。
【００２６】
本発明の飾り具の第１１の構成は、上記第１０の構成において、折返し部には、台板部の裏面部と接触するフランジ部が台板部の一部を構成するように設けられ、フランジ部は、台板部の折り縁を介して二分される左右両面の一方の底面に固着され、他方の底面に対しては非固着とされ、かつ、切欠部の一部が形成されたことを特徴とする。
【００２７】
上記第１１の構成を備えた飾り具においては、折り畳み時であっても、各折返し係止片を切欠部に係止可能となる。
【００２８】
本発明の飾り具の第１２の構成は、上記第１乃至第１１のいずれか１の構成において、立設部のｎ番目の折り縁及び基台部の折り縁は、それぞれ、立設部及び台板部の中央を区画する位置に設けられたことを特徴とする。
【００２９】
上記第１２の構成を備えた飾り具においては、使用時の立設部の外観上のバランスが良好に保たれるとともに、折り畳みの際に無理な力がかかることなく、かつ折り畳み状態における全体の面積を小さくできる。
【００３０】
本発明の飾り具の第１３の構成は、上記第１乃至第１２のいずれか１の構成において、基台部は、飾り物としての鏡餅を載置可能な形状であることを特徴とする。
【発明の効果】
【００３１】
上記構成を備えた本発明によれば、立設部における形状的見栄えの良さと基台部との連設を確保するとともに、飾り物が見える水平方向範囲を広く確保可能で、かつ折り畳み可能な飾り具を提供することが可能となる。
【発明を実施するための最良の形態】
【００３２】
（第一の実施の形態）
本発明の実施の形態を、図面を参照して詳細に説明する。まず、図１乃至図６を参照して、飾り具の第一の実施の形態を説明する。なお、各図において、図１及び図５は飾り具の概略構成や使用状態等を説明するための外観斜視図、図２は飾り具に飾り物を組み込んだ状態を示す外観斜視図、図３は飾り具の展開状態を示す図、図４は図３の状態から飾り物をセットする途中の状態を示す図、図６は図４の状態から飾り物を取り外して飾り具を折り畳んだ状態を示す図である。
【００３３】
本実施の形態の飾り具１は、図１及び図２に示すように、飾り物が載せられる台板部２と、この台板部２に連設してその後（奥）側に立設される四曲の飾り屏風としての立設部３と、台板部２に連設してその前側で折り返される台板折返し部４とを有している。この飾り具１は、適度な剛性を有する紙を材質としており、表面には所定の彩色（例えば、全体を金色としたり、立設部３を金色として台板部２及び台板折返し部４は赤色とする、等）や模様或いは絵などが施される。
【００３４】
台板部２は、図３の展開平面図に示すように、全体略６角形（略ホームベース状）をなし、奥側（図３上側）の２つの斜辺に対して立設部３が接続され、手前側（図３下側）の辺に対して台板折返し部４が接続される構成となっている。そして、台板部２は、中央に設けられた折り縁２１を介して谷折りすることで、折り畳み可能となっている。
【００３５】
具体的には、台板部２は、図３左上側の斜辺を形成する折り縁３０を介して、立設部３の一方の底辺と連設され、立設部３と一体成型されている。また、台板部２においては、図３右上側の斜辺を形成する折り縁２２ａを介して、立設部３の他の一辺と接続するための糊代部としての折り片２２が設けられる。そして、飾り具１の使用（製作）に際しては、図３の状態から、折り片２２（図３のハッチング部分）に所定の接着剤を塗布するとともに、折り縁３０を介して台板部２と立設部３とを谷折りし、折り縁３１，３２を介して立設部３の隣接面同士を谷折りし、折り縁３３を介して立設部３の中央を山折りして、立設部３の自由端側の底辺を折り縁２２ａに合わせて折り片２２と接合、固着することで（図４参照）、立設部３が台板部２に対して立設した状態となる。
【００３６】
なお、本実施形態では台板部２と立設部３とが折り縁３０を介して一体成型された構成となっているが、他の実施形態としては、台板部２と後述する台板折返し部４とのように、両者を別部材として製造し、後の流通、販売等に先立って接続、一体化するようにしても良い。この場合には、例えば、折り片２２と同様の折り片を、折り縁３０を介して台板部２側に設ければ良い。
【００３７】
台板部２は、奥行き方向の長さと、これに直交する幅方向の長さとが、略同一寸法となっている。なお、台板部２の縦横の比率に関してはこれに限定されるものではなく、台板部２上に載せられる飾り物の形状に応じて、適宜横長或いは縦長の形状とすることができる。
【００３８】
一方、各折り縁３０，２２ａにより形成される斜辺高さの、台板部２奥行に対して占める比率は、台板部２に対して立設部３の両端側の占める位置に関係するため、重要な要素である。本実施形態では、図３に示すように、台板部２の奥行長さ（Ｙ１＋Ｙ２）中、立設部の両端となる斜辺の底部から引かれる仮想線Ｘ−Ｘを境にして区分けされる斜辺の高さＹ１と残部Ｙ２との比率が略５：１４になるように、各折り縁３０，２２ａが形成されている。なお、斜辺の高さＹ１と残部Ｙ２の比率については、これに限定されるものでないが、使用時（観賞時）における飾り物１００の視野を確保する観点からは、少なくとも、台板部２の中心位置が、仮想線Ｘ−Ｘよりも前方（手前側）に設けられること（すなわちＹ１／Ｙ２の値が１未満であること）が好ましい。
【００３９】
また、台板部２の奥側には、後述する台板折返し部４の折返し係止片４５を挿入するための切り込み部２３が形成されている。
【００４０】
立設部３は、図３に示すように、展開状態において台板部２よりも広い横幅を有しており、また、相互に略並行に設けられた３本の折り縁３１，３２，３３により、４つの面に区画される。
【００４１】
ここで、立設部３の４面のうちの両端側の面は、それぞれ略矩形状をなし、各底辺が台板部２の上述した斜辺に接続される。すなわち、立設部３における両端側の面の一方の底辺は、折り縁３０を介して台板部２の一方の斜辺と連接され、他方の底辺は、折り縁３１，３２，３３を介して各面を折り曲げた後に、台板部２の折り縁２２ａに接するように折り片２２に対して接着剤等で固着される。
【００４２】
一方、立設部３の４面のうちの中側の２つの面は、下方側が斜辺をなす台形状を呈している。すなわち、立設部３の中央の二面の底側には、上方に向けてテーパー状に切り欠かれた形状の切欠部３４が設けられている。立設部３のこの切欠部３４は、台板折返し部４を台板部２に係止させて飾り物１００をセットする際に、台板部２との間に飾り物１００の一部分を位置させるための空間部を形成して、台板部２に対する飾り物１００の奥行方向の設置スペースを確保する機能を有している。また、切欠部３４は、台板折返し部４を折り返して台板部２に当接させる際に、台板折返し部４の各斜辺が擦接することで、台板折返し部４の撓み量を抑える機能も有している。
【００４３】
なお、本実施の形態では、立設部３における両端側の各面が中央の各面よりも幅広となっているが、立設部３における各面の幅を相互に同一としても良い。但し、立設部３全体の強度や飾り物１００の奥行方向の設置スペースの確保等の観点からは、立設部３における両端側の各面は中央の各面よりも広くすることが好ましく、本実施の形態では、両者の比率を略６：５に設定している。
【００４４】
立設部３の各折り縁３１，３２，３３は、隣り合う折り縁の折り方向が互いに逆になるように設けられており、具体的には、折り縁３１，３２が谷折りの縁部、折り縁３３が山折りの縁部となっている。従って、本実施形態では、各折り縁３１，３２，３３を介して立設部３が蛇腹状に折り曲げられることで、四曲（４枚折り）の飾り屏風の形状となる。
【００４５】
そして、中央（すなわち左右いずれかから数えて２番目）の折り縁３３は、台板部２の折り縁２１と対応する位置に設けられており、飾り具１として組み立てて使用する状態においては、折り縁２１の延長縁上に位置する（図１参照）。このような構成とすることにより、使用時の立設部の外観上のバランスが良好に保たれるとともに、後述する折り畳みの際に無理な力がかかることなく、かつ折り畳み状態における全体の面積を小さくできる。
【００４６】
立設部３の高さ寸法は、飾り物１００よりも高く設定されており、この実施の形態では飾り物１００の高さの略１．８倍に設定されている。立設部３の高さと飾り物１００の高さの比率については、この値に限定されるものではないが、美観上の観点や、飾り物１００の上にさらに柑橘類果実その他の物が載せられる可能性等を考慮すると、例えば１．４〜３倍程度、好ましくは１．５〜２．５倍程度、さらに好ましくは１．７〜１．９倍程度とする。
【００４７】
なお、本実施の形態では、飾り屏風として四曲（４枚折り）のものを想定したため、立設部３に設ける折り縁を３本としたが、他の実施の形態としては、例えば六曲（６枚折り）や八曲（８枚折り）の飾り屏風としても良く、この場合には立設部３における折り縁を、それぞれ５本や７本とすれば良い。
【００４８】
すなわち、立設部３は、展開時の幅が台板部２の幅よりも広く、かつ、使用時に２×ｎ（ｎは２以上）枚折りとなるような（２×ｎ−１）本（ｎは２以上）の折り縁が、相互に略並行かつ隣り合う折り縁の折り方向が互いに逆になるように設けられるとともに、両端側の各面の底辺が台板部２に接続されその他の面の底辺が台板部２に非接続とされるものであれば良い。
【００４９】
台板折返し部４は、図３に示すように、台板部２と略同一の外形（すなわち略ホームベース状）を呈する本体部４０に対して、台板部２の手前側裏面部に当接及び固着されるフランジ部としての折り片４２と、本体部４０の左右側で折り返される折返し片４３，４４と、使用時に台板部２に係止する折返し係止片４５と、がそれぞれ延設された構成となっている。
【００５０】
本実施の形態では、台板部２と台板折返し部４とで、飾り具１の基台部を構成している。そして、台板折返し部４は、この基台部について、折り曲げ可能な台板部２の反り返りを防止する機能、台板部２の折り縁２１を隠して外観上の見栄えを良くする機能、基台部全体の厚みを形成する機能、飾り物１００のずれや落ち等を防止する機能、飾り具１の折り畳み時にその折り畳み状態を保持する機能、等の種々の機能を担っている。以下、これらについて説明する。
【００５１】
台板折返し部４の本体部４０には、飾り物１００の底部形状に対応した形状の開口部４１が形成されている。詳細には、開口部４１は、飾り物１００（鏡餅）の底部と略同一径、かつ飾り物１００のフランジ部１０３よりも小径の円形開口部であり、これにより、使用時に飾り物１００を開口部４１にはめ込んで固定することができ、外力による飾り物のずれや落ち等が防止される。また、後述のように、開口部４１に飾り物１００を取り付けた状態で飾り具１を折り畳んで、流通、販売等することも可能となる。
【００５２】
また、台板折返し部４においては、台板部２の折り縁２１に対応する箇所や、本体部４０自体には折り縁が設けられておらず、後述する飾り具１の折り畳みの際に、本体部４０自体については折り曲げられないようになっている。かかる構成とすることにより、本体部４０には折り曲げによるしわ等が生じないこととなり、観賞時の見栄えが良くなる。また、かかる構成とすることで、使用時における基台部全体の形状を維持し、折り曲げ可能な台板部２の反り返りを防止する機能が担保される。
【００５３】
なお、他の実施の形態としては、本体部４０に開口部４１が設けられない構成としても良く、この場合には、飾り物１００（鏡餅）が単に本体部４０上に載せられるだけとなるが、台板部２の折り縁２１を隠して外観上の見栄えを良くする機能や台板部２の反り返りを防止する機能は保持している。
【００５４】
本実施の形態では、台板折返し部４は、台板部２の手前側（すなわち立設部３とは反対側）で連設され、かつ、台板部２の折り縁２１を介して区分けされる左右両面の一方のみに連接される構成となっている。このような構成とすることで、台板部２の折り畳み時に台板折返し部４の本体部４０が折り曲げられてしまう不都合を回避することが可能となる。
【００５５】
詳細には、台板折返し部４では、本体部４０における台板部２の前方側を臨む一辺から、該一辺をなす折り縁４２ａを介して谷折りされ、台板部２の手前側裏面部と当接するフランジ部としての折り片４２が延設されている。そして、この実施形態では、図３にハッチングで示す折り片４２の右半分の領域が、台板部２の折り縁２１を介して区分けされる各面の右側面に所定の接着剤を介して固着される領域（糊代部４２ｂ）となり、折り片４２の糊代部４２ｂの部分だけが台板部２の底面に固着され、他方の面については台板部２の底面に対して非固着とされる。
【００５６】
台板部２と台板折返し部４との接続箇所をこのような構成とすることにより、折り縁２１を介して台板部２を折り曲げる際に、台板折返し部４側は影響を受けず、また、台板部２及び台板折返し部４間における前側での隙間が折り片４２によって隠されるので、外観上の見栄え良さが得られる。
【００５７】
台板折返し部４における本体部４０の左右両側には、折返し片４３，４４が延設される。これら折返し片４３，４４は、飾り具１の使用時に本体部４０の左右辺をなす折り縁４３ａ，４４ａを介して図３の状態から谷折り（台板折返し部４表面からは山折り）されることで、本体部４０と台板部２との間に配置され、或いは台板部２の裏面側に配置される。なお、使用時における各折返し片４３，４４の配置は、本体部４０の補強等の観点からは上記いずれでも良く、後述のセット時の説明では本体部４０と台板部２との間に配置する場合の手順等について述べるが、基台部両側の見栄え良さの観点からは、台板部２の裏面側に配置する方がより好ましい。
【００５８】
台板折返し部４の折返し係止片４５は、台板部２の奥側に設けられた切り込み部２３に係止するものであり、図３に示すように、本体部４０における上述した折り片４２とは反対側の一辺すなわち台板部２の奥側に対応する一辺から延設されている。
【００５９】
この折返し係止片４５においては、互いに並行な２本の折り縁４５ａ，４５ｂが設けられており、各折り縁４５ａ，４５ｂを介して折返し係止片４５を図３の状態から２回谷折り（台板折返し部４表面からは山折り）することで、１段目の折り返し面と、それより大面積の２段目の折り返し面とが形成される。
【００６０】
そして、折返し係止片４５においては、飾り具１の使用時に、折り縁４２ａを介して本体部４０を台板部２に当接するように折り曲げられ、この際に、折り縁４５ｂを介して折られた状態から、該折り縁４５ｂの折り角度を小さくかつ折り縁４５ａの折り角度を大きくしていくように曲げられることで、２段目の折り返し面の円弧状に形成された先端部が、切り込み部２３に対して台板部２の裏面から挿入され、これにより台板部２に対して台板折返し部４が係止された状態となる。
【００６１】
すなわち、折返し係止片４５の２段目の折り返し面は、台板部２の切り込み部２３に挿入され、台板部２に係止されることにより、台板折返し部４を台板部２に固定させる機能を担っている。
【００６２】
なお、上述した使用例は、折返し係止片４５を台板部２の裏面から係止させる場合であるが、他の使用例としては、図５に示すように、折返し係止片４５を台板部２の表面から挿入して係止させることも可能である。この場合には、１段目の折り返し面には、台板部２及び折返し部４の奥側（立設部３側）における隙間や、台板部２と折返し部４との角度を、形成或いは調整するための機能が付与されることとなり、これにより、基台全体としての厚みや立体感が増加する。
【００６３】
飾り具１に飾られる飾り物１００は、フランジ部１０３を有する鏡餅容器１０２の内部に、鏡餅１０１が格納されてなる。ここで、フランジ部１０３は、その外径が台板折返し部４の開口部４１よりも大きくなっており、その内径が開口部４１と略同一となっている。
【００６４】
以下に、飾り具１につき、図３の状態から飾り物１００をセットして実際に使用（観賞）するための手順等について説明する。但し、立設部３と台板部２の折り片２２とは既に接着剤等により固着された状態であるとする（図４参照）。
【００６５】
まず、飾り物１００を、そのフランジ部１０３が突き当たるまで台板折返し部４の開口部４１に嵌め込む。次に、台板折返し部４の折返し片４３，４４及び折返し係止片４５を、各折り縁４３ａ，４４ａ，４５ａ，４５ｂを介して谷折り（台板折返し部４表面から見ると山折り）する（図４参照）。
【００６６】
そして、この状態から、折り縁４２ａを介して台板折返し部４と台板部２とを谷折りすることで、折返し片４３，４４が台板部２に当接する。一方、折返し係止片４５については、その曲がり具合を調整して、台板部２と立設部３の切欠部３４との間に形成された空間部に挿通させ、完全に挿通したところで、折り縁４５ａの曲げが大きくなりかつ折り縁４５ｂの曲げが小さくなるように調整することで、先端部が切り込み部２３に挿入され、台板部２に係止される。
【００６７】
かくして、この飾り具１では、使用時において４枚折りの飾り屏風が得られ、図２に示すように、立設部３における形状的見栄えの良さが確保されるとともに、飾り物１００が見える水平方向範囲（視野）が広く確保される。
【００６８】
また、飾り具１では、使用時において飾り物１００が台板部２と台板折返し部４とに挟持された状態となるので、外力がかかっても基台部から飾り物１００が外れたりずれることがない。
【００６９】
さらには、この飾り具１によれば、使用時において、台板折返し部４の本体部４０と飾り物１００とにより、台板部２の折り縁２１が隠された状態となるので、外観上の見栄えが良好となる。
【００７０】
次に、図２の使用状態から飾り具１を折り畳む手順等について説明する。まず、図２の状態から、折り片４５を切り込み部２３から外すとともに、折り縁４２ａを介して台板折返し部４と台板部２とを引き離すように回動させる（図４参照）。ここで、飾り物１００については台板折返し部４から外しても良いし外さなくてもかまわない。
【００７１】
次に、台板部２を折り縁２１を介して谷折りする。このとき、台板部２の図４左半分の面が台板折返し部４から離れるとともに、蛇腹状の立設部３が各折り縁３１，３２，３３を介して幅方向に縮められる。そして、台板部２及び立設部３が２つ折り状態となったところで、折り縁４２ａを介して台板折返し部４と折り片４２（すなわち台板部２及び立設部３）とを谷折りする。
【００７２】
ここで、折返し片４３，４４及び折返し係止片４５については、台板折返し部４と台板部２とが２つ折り状態になる前には開いた状態としておき、両者が２つ折り状態になったところで、閉じるようにする。これにより、図６（ａ）（ｂ）に示すように、台板部２が折返し係止片４５及び折返し片４４によって挟み込まれて、台板折返し部４と台板部２とが開くことが防止され、また、折返し片４３も閉じられることで、折り畳み状態における全体の面積が小さくなり、流通、販売上の便宜が図られる。
【００７３】
なお、図６では、飾り物１００を取り外して飾り具１を折り畳んだ状態を示しているが、上述のように飾り物１００を取り外さずに飾り具１を折り畳んでも良く、この場合には予め飾り具１と飾り物１００とが一体となっているので、ユーザにとっては飾り具１の立体形状への変換がより容易となり、また、流通時に、重量のある飾り物１００に押されて飾り具１が変形する等の事態を避けることも可能となる。
【００７４】
このように、本実施の形態の飾り具１によれば、立設部３が、３本の相互に略並行な折り縁３１，３２，３３を有し、かつ、展開状態において台板部２よりも広い幅とされることにより、使用時において４枚折りの飾り屏風が得られ、図２に示すように、立設部３における形状的見栄えの良さが確保される。
【００７５】
また、飾り具１によれば、立設部３における両端側の各面の底辺が台板部２に連設されその他の面の底辺が台板部２に非連設とされ、かつ、台板部２における立設部３の中央の折り縁３３と対応する位置に折り縁２１が設けられているので、該折り縁３３及び折り縁２１を介して２つ折りにして、立体形状から平面的な形状に無理なく変換することが可能となり（図６参照）、流通、販売上の便宜が図られる。
【００７６】
加えて、折り縁３３及び折り縁２１がそれぞれ立設部３及び台板部２の中央を区画する位置に設けられているので、使用時の立設部の外観上のバランスが良好に保たれるとともに、折り畳みの際に無理な力がかかることなく、かつ折り畳み状態における全体の面積を小さくできる。
【００７７】
さらに、飾り具１によれば、台板部２の中心位置が、立設部３の両端を結んだ仮想線よりも前方に設けられているので、台板部２に飾り物１００を載せた場合に飾り物１００の大部分が立設部３よりも前方（手前側）に位置することになり、飾り物１００の視野が広く確保され（図２参照）、飾り物１００を色々な角度から眺めることが可能となる。
【００７８】
（第二の実施の形態）
次に、主に図７、図８を参照して、本発明の第二の実施の形態について説明する。なお、第一の実施の形態と同一の部分については同一の符号を付し、適宜その説明を省略する。
【００７９】
図７に展開して示す第二の実施形態の飾り具１１は、第一の実施形態の図３と比較して分かるように、飾り物１００を載せる台板部２の中央左右両側がそれぞれ矩形状に切り欠かれており、平面略「エ」字の台板部２となっている点が、第一の実施形態とは異なっている。また、この飾り具１１は、台板部２の切り込み部２３及び台板折返し部の折返し片４５が無い点、及び、台板折返し部側の左右一対の折返し片４３，４４の形状及び機能の点、さらには立設部３における切欠部の形状の点で、第一の実施形態とは異なっている。
【００８０】
一方、第二の実施形態においても、立設部３の主要構成、すなわち３本の相互に略並行な折り縁３１〜３３が設けられ、かつ展開状態において台板部２よりも広い幅を有する点や、立設部３の両端を結んだ仮想線よりも台板部２の中心位置が前方に設けられる点、等については第一の実施の形態と同様となっている。
【００８１】
以下は、主に第一の実施形態と異なる構成について詳細に説明する。
【００８２】
飾り具１１の台板部２は、図７の展開平面図に示すように、略「Ｔ」字状の折曲台板部２Ａと、フランジ部としての略逆「Ｔ」字状の固定台板部４２Ａとが、糊代部４２ｂで接続されることにより、略「エ」字の平面形状を呈している。
【００８３】
すなわち、本実施の形態では、飾り物１００を載せる台板部２の構成要素である折曲台板部２Ａと固定台板部４２Ａとが別部材であり、両者の幅狭の部分が重ね合わせられることで、平面略「エ」字状の台板部２となる。
【００８４】
ここで、折曲台板部２Ａは、中央の折り縁２１を介して谷折りすることで、折り畳み可能となっている点、及び、奥側における形状及び立設部３との接続構成については、上述した第一の実施の形態の台板部２と同一である。
【００８５】
これに対して、折曲台板部２Ａの手前側は、Ｌ字状に形成された切欠部２４により、折曲台板部２Ａの最大幅すなわち奥側の幅に対して略半分程度の寸法となっている。
【００８６】
一方、固定台板部４２Ａは、台板折返し部材４Ａの一部をなしている。すなわち、飾り具１１の台板折返し部材４Ａは、図７に示すように、台板部２に対応する略ホームベース状の外形を有する本体部４０と、台板部２の一部を構成し、折り縁４２ａを介して本体部４０よりフランジ状に延設された固定台板部４２Ａと、左右側の各折り縁４３ａ，４４ａを介して本体部４０より延設された一対の折返し係止片４３Ａ，４４Ａと、を有している。
【００８７】
ここで、固定台板部４２Ａは、中央の折り縁２１が無い構成とされ、かつ、本体部４０に連設される手前側が折曲台板部２Ａの最大幅すなわち奥側の幅と略同一幅とされ、折曲台板部２Ａに接続される奥側は、Ｌ字状に形成された切欠部４６により、折曲台板部２Ａの狭められた手前側と略同一の幅となっている。
【００８８】
そして、折曲台板部２Ａにおいては、固定台板部４２Ａの表面側と折曲台板部２Ａの裏面側とが、各切欠部４６，２４の左右辺同士を合わせるように接合され、図７の左側の糊代部４２ｂで接着されることにより、折曲台板部２Ａが折り縁２１を介して折り曲げ可能となっている。
【００８９】
折返し係止片４３Ａ，４４Ａは、第一の実施の形態における飾り具１の折返し片４３，４４と同様に、使用時において、基台部左右側における台板部２と台板折返し部との隙間を隠す、という外観向上の機能を担っている。加えて、折返し係止片４３Ａ，４４Ａは、台板部２に係止する係止手段としての機能も担っている。
【００９０】
具体的には、各折返し係止片４３Ａ，４４Ａは、それぞれ全体略山形状をなし、その基端側が上記外観向上の機能を担い、一方で、先端側が、台板部２の切欠部２４，４６で形成された窪み部分に係止する係止部としての機能を担っている。ここで、各折返し係止片４３Ａ，４４Ａの先端側は、図７に示すように、面取が施された矩形状を呈しており、台板部２の切欠部２４，４６より若干狭い幅とされることにより、切欠部２４，４６に挿入可能となっている。
【００９１】
なお、図７に示すように、この飾り具１１では、各折り縁４２ａ，４３ａ，４４ａが２重の折り縁になっており、このような折り縁とすることにより、基台全体の厚みが増す。
【００９２】
また、この飾り具１１では、立設部３の切欠部３４Ａが、上述した第１の実施の形態の切欠部３４の切り欠き形状に加えて、図７に示すように、折り縁３３を短くするように略「Ｕ」字状に切り欠かれた形状となっている。
【００９３】
このような切り欠き形状とすることにより、飾り物１００をセットする際に、鏡餅容器１０２の上段と、屏風（立設部３）の折り縁３３の山折れ部分との接触を回避することができ、また、折り縁３３の山折り作業時に、余計な折れ線や折れ跡が発生しにくくなる。
【００９４】
以下、飾り具１１につき、図７の状態から飾り物１００をセットして実際に使用（観賞）するための手順等について説明する。但し、立設部３と台板部２の折り片２２とは既に接着剤等により固着された状態であるとする（図４参照）。
【００９５】
まず、飾り物１００を、そのフランジ部１０３が突き当たるまで台板折返し部材４Ａの開口部４１に嵌め込む。次に、この状態から、折り縁４２ａを介して台板折返し部材４Ａの本体部４０と台板部２とを谷折りすることで、飾り物１００のフランジ部１０３が台板部２の表面に当接するとともに、本体部４０と台板部２とが対峙する。
【００９６】
さらに、この状態から、台板折返し部材４Ａの折返し係止片４３Ａ，４４Ａを、各折り縁４３ａ，４４ａを介して谷折り（台板折返し部材４Ａ表面から見ると山折り）する（図４参照）。
【００９７】
このときに、折返し係止片４３Ａ，４４Ａを湾曲させて、各先端部（係止部）を、台板部２の切欠部２４，４６で形成された窪み部分に挿入することで、台板折返し部材４Ａが台板部２に係止される。
【００９８】
このとき、飾り具１１においては、台板部２が台板折返し部材４Ａの本体部４０と折返し係止片４３Ａ，４４Ａとで挟持された状態となり、台板部２全体が隠された状態となるので、台板部２と台板折返し部４との２つの部材により２重に見えることがない。また、この実施の形態では、台板折返し部材４Ａを台板部２に係止させる操作及び係止を解除させる操作を、立設部３のある奥側で行う必要がないので、これら各操作を比較的容易に行うことが可能となる。
【００９９】
また、この飾り具１１では、上述した第一の実施の形態と同様に、使用時において４枚折りの飾り屏風が得られ、立設部３における形状的見栄えの良さが確保されるとともに、飾り物１００が見える水平方向範囲（視野）が広く確保される（図２参照）。
【０１００】
また、飾り具１１においては、使用時において飾り物１００が台板部２と台板折返し部材４Ａとに挟持された状態となるので、外力がかかっても基台部から飾り物１００が外れたりずれることがない。
【０１０１】
さらには、この飾り具１１によれば、使用時において、台板折返し部材４Ａの本体部４０と飾り物１００とにより、台板部２の折り縁２１が隠された状態となるので、外観上の見栄えが良好となる。
【０１０２】
次に、飾り具１１を、使用状態（図２参照）から折り畳む手順等について説明する。まず、折返し係止片４３Ａ，４４Ａを湾曲させて、各先端部（係止部）を、台板部２の切欠部２４，４６で形成された窪み部分から外すことで、台板部２と台板折返し部材４Ａとの係合状態が解除される。続いて、折り縁４２ａを介して台板折返し部材４Ａの本体部４０と台板部２とを引き離すように相対回動させる（図４参照）。ここで、飾り物１００については台板折返し部４から外しても良いし外さなくてもかまわない。
【０１０３】
次に、折曲台板部２Ａを折り縁２１を介して谷折りする。このとき、折曲台板部２Ａの図７右半分の面が固定台板部４２Ａから離れるとともに、蛇腹状の立設部３の幅方向が各折り縁３１，３２，３３を介して縮められる。そして、折曲台板部２Ａ及び立設部３が２つ折り状態となったところで、折り縁４２ａを介して台板折返し部材４Ａの本体部４０と台板部２とを谷折りする。
【０１０４】
さらに、この状態から、折返し係止片４３Ａ，４４Ａを湾曲させて、折返し係止片４３Ａの先端部（係止部）を、台板部２の切欠部２４，４６で形成された窪み部分に挿入する。また、他方の折返し係止片４４Ａの先端部（係止部）についても、固定台板部４２Ａの切欠部４６に挿入することが可能であり、これにより、図８に示すように、台板折返し部材４Ａが台板部２に係止される。
【０１０５】
第二の実施形態の飾り具１１では、上述した第一の実施形態の飾り具１で得られた効果に加えて、以下のような効果が得られる。すなわち、この飾り具１１によれば、台板部２に対する台板折返し部材４Ａの係止を、本体部４０の左右両側からフランジ状に延設された折返し係止片４３Ａ，４４Ａにより、台板部２の切欠部２４，４６に対して行うので、操作が比較的容易であり、かつ、外力がかかっても容易には崩れない強い係止状態が得られ、また、基台部の側面側の外観も良好となる。加えて、本実施形態では、図８に示すように、折り畳み時においても折返し係止片４３Ａ，４４Ａを台板部２の切欠部２４，４６に挿入することが可能であり、この場合には、外力がかかっても台板部２と立設部３とが開かない強い係止状態を保持することができる。
【０１０６】
（第三の実施の形態）
次に、主に図９を参照して、本発明の第三の実施の形態について説明する。なお、第一及び／又は第二の実施の形態と同一の部分については同一の符号を付し、適宜その説明を省略する。
【０１０７】
図９に展開して示す第三の実施形態の飾り具１２は、第二の実施形態の基本構成を踏襲しているが、飾り具全体が一枚構造となっている点が異なっている。すなわち、本実施形態の飾り具１２は、第二の実施形態の図７と比較して分かるように、台板折返し部材４Ａの固定台板部４２Ａと折曲台板部２Ａとが、折り縁２５を介して連設されており、図９では立設部３、折曲台板部２Ａ、及び固定台板部４２Ａの各表面側が表されている。
【０１０８】
ここで、折り縁２５は、折曲台板部２Ａの折り縁２１と並行に設けられており、折曲台板部２Ａと固定台板部４２Ａの各表面側同士を谷折り可能としている。
【０１０９】
かかる構成の飾り具１２によれば、固定台板部４２Ａと折曲台板部２Ａとを接着する必要がないので、製造上のコスト及び行程を減らすことが可能となる。
【０１１０】
なお、飾り具１２につき、図９の状態から飾り物１００をセットして実際に使用（観賞）する場合には、固定台板部４２Ａと折曲台板部２Ａとを、両者の表面が表面に当接するように折り縁２５を介して折り曲げる手順を加えること以外は、上述した第二の実施の形態の飾り具１１と同様の手順で行うことができる。また、飾り具１２を折り畳む場合には、上述した第二の実施の形態の飾り具１１と同様の手順で行うことができ、折り畳み状態としては図８と同一の外観となる。
【０１１１】
以上のように、上述した各実施の形態の飾り具１，１１，１２では、立設部３が、展開状態において台板部２よりも広い幅を有し、かつ３本の相互に略並行な折り縁３１，３２，３３が設けられた構成とされているので、使用時において４枚折りの飾り屏風が得られ、立設部３における形状的見栄えの良さが確保される（図２参照）。
【０１１２】
また、飾り具１，１１，１２においては、立設部３における両端側の各面の底辺が基台部（台板部２，２Ａ）に連設されその他の面の底辺が基台部に非連設とされ、かつ、基台部における立設部３の中央の折り縁３３と対応する位置に折り縁２１が設けられることで、これら各折り縁を介して２つ折りとすることが可能となり、さらには、基台部の中心位置が、立設部３の両端を結んだ仮想線よりも前方に設けられることで、基台部に飾り物を載せた場合に飾り物の大部分が立設部３よりも前方（手前側）に位置することになり、飾り物が見える水平方向範囲が広く確保される。
【０１１３】
さらに、上述した各実施の形態の飾り具１，１１，１２によれば、基台部を台板部と折返し部との２枚重ね構造として、上面となる折返し部４，４Ａの本体部４０が使用時に台板部２の折り縁２１を覆い隠す構成となっているので、基台部における外観上の見栄え良さが得られる。また、本体部４０にフランジ部としての折り片４２又は固定台板部４２Ａが延設されることで、基台部の前端側の見栄え良さが得られ、本体部４０に折返し片４３，４４又は折返し係止片４３Ａ，４４Ａが延設されることで、基台部の左右端側の見栄え良さが得られる。
【０１１４】
また、上述した各実施の形態の飾り具１，１１，１２によれば、２枚重ね構造とされた基台部の上面に、飾り物１００の底部形状に対応した形状の開口部４１が設けられているので、外力による飾り物１００のずれや落ち等が防止され、また、飾り物１００を取り付けた状態で折り畳んで、流通、販売等することも可能となる。
【０１１５】
さらに、各実施の形態の飾り具１，１１，１２によれば、台板部２に係止する係止手段として、折返し部４，４Ａの本体部４０から延設された折返し係止片４５又は４３Ａ，４４Ａを有しているので、使用時における台板部２の反り返り防止の強化が図られる。
【０１１６】
なお、上述した各実施の形態では、４枚折りの飾り屏風とするために立設部３の折り縁を３本としたが、立設部３の折り縁の数はこれに限定されず、（２×ｎ−１）本（ｎは２以上）とすることが可能であり、これにより６枚折りや８枚折りといった多段の飾り屏風が得られる。
【産業上の利用可能性】
【０１１７】
以上詳細に説明したように、本発明によれば、立設部における形状的見栄えの良さと基台部との連設を確保するとともに、飾り物が見える水平方向範囲を広く確保可能で、かつ折り畳み可能な飾り具を提供することが可能となり、産業上きわめて有用である。
【図面の簡単な説明】
【０１１８】
【図１】本発明を適用した飾り具の第一の実施の形態の概略構成を説明するための外観斜視図である。
【図２】飾り具に飾り物を組み込んだ状態についての外観斜視図である。
【図３】飾り具の展開状態を説明する図であり、台板部及び立設部の表面側かつ台板折返し部の裏面側から表した展開平面図である。
【図４】立設部の両端を台板部に接続した状態の平面図である。
【図５】折返し係止片を台板部の表面から係止させた状態について示す外観斜視図である。
【図６】飾り具の折り畳み状態を示す図であり、（ａ）が台板折返し部の表面側から示す図、（ｂ）が台板折返し部の裏面側から示す図である。
【図７】飾り具の第二の実施の形態の構成を説明する図であり、台板部及び立設部の表面側かつ台板折返し部の裏面側から表した展開平面図である。
【図８】図７の飾り具の折り畳み状態を説明する図であり、（ａ）が台板折返し部の裏面側から示す図、（ｂ）が台板折返し部の表面側から示す図である。
【図９】飾り具の第三の実施の形態の構成を説明する図であり、台板部、立設部、及び台板折返し部の表面側から表した展開平面図である。
【符号の説明】
【０１１９】
１，１１，１２  飾り具
２  台板部（基台部）
２１  折り縁
２２  折り片
２２ａ  折り縁
２３  切り込み部
３  立設部（多段屏風）
３０  折り縁
３１，３２  折り縁
３３  折り縁
３４，３４Ａ  切欠部
４  台板折返し部（基台部）
４０  本体部
４１  開口部
４２  折り片（フランジ部）
４２ａ  折り縁
４２ｂ  糊代部
４３，４４  折返し片
４３ａ，４４ａ  折り縁
４５  折返し係止片（係止手段）
４５ａ，４５ｂ  折り縁
１００  飾り物（鏡餅）
１０１  鏡餅
１０２  鏡餅容器
１０３  フランジ部
２Ａ  折曲台板部
２４  切欠部
３４Ａ  切欠部
４Ａ  台板折返し部材（基台部）
４２Ａ  固定台板部（フランジ部）
４６  切欠部
４３Ａ，４４Ａ  折返し係止片（係止手段）
２５  折り縁
【図１】
0004658460.tif 000002
【図２】
0004658460.tif 000003
【図３】
0004658460.tif 000004
【図４】
0004658460.tif 000005
【図５】
0004658460.tif 000006
【図６】
0004658460.tif 000007
【図７】
0004658460.tif 000008
【図８】
0004658460.tif 000009
【図９】
0004658460.tif 000010